(57)【要約】【課題】合成樹脂製収納袋の上端の取り出し口からの被収納物の飛び出しの勢いを抑え、テーブルや床などに飛散するのを防止できるようにする。【解決手段】合成樹脂製フィルムを主たる材料とし、周囲にヒートシール部３による接合部を有する合成樹脂製収納袋１において、合成樹脂製収納袋１の上端における幅方向一端側より幅方向他端側に少し寄った位置で上端より合成樹脂製収納袋１の外側に向いて斜め下向きにノッチ部４が形成され、このノッチ部４より合成樹脂製収納袋１の幅方向一端側の角部を斜めにカットすることにより被収納物取り出し口が形成されるように構成され、合成樹脂製収納袋１の上端における幅方向一端側の角部には被収納物取り出し口上側にほぼ三角形に形成されたヒートシール部６の斜辺６ａにより被収納物の衝突壁が形成されている。【選択図】　　　　図１
2004010115.tif 000002
【特許請求の範囲】
【請求項１】
合成樹脂製フィルムを主たる材料とし、周囲にヒートシール部による接合部を有する合成樹脂製収納袋において、合成樹脂製収納袋の上端における幅方向一端側より幅方向他端側に少し寄った位置で上端より合成樹脂製収納袋の外側に向いて斜め下向きにノッチ部が形成され、このノッチ部より合成樹脂製収納袋の幅方向一端側の角部を斜めにカットすることにより被収納物取り出し口が形成されるように構成され、合成樹脂製収納袋の上端における幅方向一端側の角部には被収納物取り出し口上側にほぼ三角形に形成されたヒートシール部の斜辺により被収納物の衝突壁が形成されてなることを特徴とする合成樹脂製収納袋。
【発明の詳細な説明】
【０００１】
【発明の属する技術分野】
本発明は液体あるいは粉状体を収納する合成樹脂製収納袋に関するものである。
【０００２】
【従来の技術】
従来から液体あるいは粉状体などの被収納物を収納する合成樹脂製収納袋において、被収納物を取り出す場合は合成樹脂製収納袋の上端の角部を鋏などで斜めにカットして斜めの取り出し口を形成し、合成樹脂製収納袋を取り出し口が下に向くように傾けてこの取り出し口から被収納物を取り出しているのが一般的である。
【０００３】
しかしながら、このように合成樹脂製収納袋の上端の角部に斜めに開口する取り出し口を形成した場合、取り出し口を下に向けて被収納物を取り出す際、合成樹脂製収納袋の中に存在する被収納物の量が多いと取り出し口から被収納物が一気に勢い良く飛び出し、テーブルや床などに飛散して周りを汚すという問題があった。
【０００４】
【発明が解決しようとする課題】
本発明はこのような課題を解決するもので、合成樹脂製収納袋の上端の取り出し口からの被収納物の飛び出しの勢いを抑え、テーブルや床などに飛散するのを防止できるようにすることを目的とするものである。
【０００５】
【課題を解決するための手段】
この課題を解決するために本発明は、合成樹脂製フィルムを主たる材料とし、周囲にヒートシール部による接合部を有する合成樹脂製収納袋において、合成樹脂製収納袋の上端における幅方向一端側より幅方向他端側に少し寄った位置で上端より合成樹脂製収納袋の外側に向いて斜め下向きにノッチ部が形成され、このノッチ部より合成樹脂製収納袋の幅方向一端側の角部を斜めにカットすることにより被収納物取り出し口が形成されるように構成され、合成樹脂製収納袋の上端における幅方向一端側の角部には被収納物取り出し口上側にほぼ三角形に形成されたヒートシール部の斜辺により被収納物の衝突壁が形成されてなることを要旨とするものである。
【０００６】
この構成により、合成樹脂製収納袋の上端における幅方向一端側の角部には被収納物取り出し口上側にヒートシール部の斜辺により被収納物の衝突壁が形成され、被収納物の取り出し時における被収納物の流れ出る勢いを抑制し、被収納物がテーブルや床などに飛散するのを防止することができる。
【０００７】
【発明の実施の形態】
以下、本発明の一実施の形態について、図面に基づいて説明する。
図１〜図４において、１は複数枚の合成樹脂製フィルムを積層接合してなる合成樹脂製シート２を材料に用いて作られた合成樹脂製収納袋であって、２枚の合成樹脂製シート２，２を重ねた状態で周囲がヒートシールによって接合されて閉じられている。そして、合成樹脂製収納袋１の形状は合成樹脂製収納袋１を立てた状態において正面形状が縦長のほぼ長方形を呈している。
【０００８】
合成樹脂製収納袋１の中に液体あるいは粉状体などの被収納物が充填されるまでは合成樹脂製収納袋１の１辺が開口した状態にあり、その開口部より被収納物が充填された後、最終的にその１辺がヒートシールによって接合されて閉じられて被収納物の収納が完了する。３は合成樹脂製収納袋１の周囲４辺のヒートシール部である。
【０００９】
ところで、本実施の形態において、合成樹脂製収納袋１を立てた状態における上端の幅方向一端側の半分のヒートシール部３は幅方向一端側に向かって斜めに上向きに傾斜しており、幅方向一端側より幅方向他端側に少し寄った位置で上端より合成樹脂製収納袋１の外側に向いて斜め下向きにノッチ部４が形成されている。そして、このノッチ部４より合成樹脂製収納袋１の幅方向一端側の角部を斜めにカットすることにより被収納物取り出し口５が形成されるようになっている。
【００１０】
前記ノッチ部４より合成樹脂製収納袋１の幅方向一端側の角部が斜めにカットされることにより形成される被収納物取り出し口５の幅が、合成樹脂製収納袋１の上端辺のヒートシール部３と一側部のヒートシール部３とを斜めに結ぶ対角線の長さとならないように、本実施の形態では合成樹脂製収納袋１の幅方向一端側の角部にほぼ三角形の範囲内でヒートシール部６が形成されており、このヒートシール部６の斜辺６ａの角度より鋭角に合成樹脂製収納袋１の幅方向一端側の角部がカットされるようにノッチ部４の角度が設定されている。ところで、前記ノッチ部４は前記ヒートシール部６の範囲の途中までに亘って形成されている。
【００１１】
従って、前記ノッチ部４より合成樹脂製収納袋１の幅方向一端側の角部を斜めにカットしたとき、前記ヒートシール部６の上端から合成樹脂製収納袋１の非ヒートシール部がカットされることになる。なお、前記ノッチ部４の形成部において、上端には合成樹脂製収納袋１から上方に少し突出する摘み片４ａが形成されており、この摘み片４ａを摘んで下に力を加えることによりノッチ部４より合成樹脂製収納袋１の幅方向一端側の角部が斜めにカットされ、被収納物取り出し口５が形成される。
【００１２】
そこで、合成樹脂製収納袋１内の被収納物７を取り出すときは、被収納物取り出し口５が下に向くように合成樹脂製収納袋１を傾けることにより被収納物取り出し口５から被収納物７が流れ出て取り出すことができるのであるが、合成樹脂製収納袋１の幅方向一端側の角部には被収納物取り出し口５の上側に前記ヒートシール部６の斜辺６ａが存在して被収納物７の衝突壁となり、被収納物７の取り出し時における被収納物７の流れ出る勢いを抑制し、被収納物７がテーブルや床などに飛散するのを防止することができる。
【００１３】
ところで、図面に示す実施の形態では合成樹脂製収納袋１の幅方向他端側上端に把手用の指掛け孔８が形成されている。
なお、上記実施の形態では合成樹脂製収納袋１は複数枚の合成樹脂製フィルムを積層接合してなる合成樹脂製シート２を材料に用いて作られた１００％が合成樹脂からなるものであるが、合成樹脂製シート２にアルミ箔などが接合されたもので作られていても良く、要は合成樹脂製フィルムが主たる材料からなる合成樹脂製収納袋１も本発明の合成樹脂製収納袋に含まれるものである。
【００１４】
【発明の効果】
以上のように本発明によれば、合成樹脂製収納袋の上端における幅方向一端側の角部には被収納物取り出し口上側にヒートシール部の斜辺により被収納物の衝突壁が形成され、被収納物の取り出し時における被収納物の流れ出る勢いを抑制し、被収納物がテーブルや床などに飛散するのを防止することができる。
【図面の簡単な説明】
【図１】本発明の一実施の形態における合成樹脂製収納袋の斜視図である。
【図２】同合成樹脂製収納袋の断面図である。
【図３】同合成樹脂製収納袋の被収納物取り出し口形成作業時の状態を示す斜視図である。
【図４】同合成樹脂製収納袋より被収納物取り出し作業時の状態を示す斜視図である。
【符号の説明】
１　　　合成樹脂製収納袋
２　　　合成樹脂製シート
３　　　ヒートシール部
４　　　ノッチ部
４ａ　　摘み片
５　　　被収納物取り出し口
６　　　ヒートシール部
６ａ　　斜辺
７　　　被収納物
【図１】
2004010115.tif 000003
【図２】
2004010115.tif 000004
【図３】
2004010115.tif 000005
【図４】
2004010115.tif 000006